(57)【要約】  加湿ファンは、フロントハウジング（１）、リアハウジング（３）及び水槽部材（２）を含み、水槽部材（２）がフロントハウジング（１）とリアハウジング（３）の間に設置され、水槽部材（２）が接続部材、係止部材によりフロントハウジング（１）に接続され、リアハウジング（３）が固定部材により、水槽部材（２）が接続されたフロントハウジング（１）に接続され、フロントハウジング（１）と水槽部材（２）の間、及びリアハウジング（３）と水槽部材（２）の間に支持部材が設置され、支持部材により、フロントハウジング（１）とリアハウジング（３）による水槽部材（２）の支持を実現する。加湿ファンにおける水槽部材の組立、生産効率を顕著に向上させる。【選択図】図１
2021521407.tif 000002
【特許請求の範囲】
【請求項１】
フロントハウジング（１）、リアハウジング（３）及び水槽部材（２）を含み、前記水槽部材（２）が前記フロントハウジング（１）と前記リアハウジング（３）の間に設置され、前記水槽部材（２）が接続部材、係止部材により前記フロントハウジング（１）に接続され、前記リアハウジング（３）が固定部材により、前記水槽部材（２）が接続された前記フロントハウジング（１）に接続され、前記フロントハウジング（１）と前記水槽部材（２）の間、及び前記リアハウジング（３）と前記水槽部材（２）の間に支持部材が設置され、支持部材により、前記フロントハウジング（１）と前記リアハウジング（３）による前記水槽部材（２）の支持を実現する、ことを特徴とする加湿ファン。
【請求項２】
接続部材は、
前記フロントハウジング（１）の側壁底部に設置された位置決め柱と、
前記水槽部材（２）の側壁外面の両側に突設され、前記フロントハウジング（１）の前記位置決め柱を収容して前記フロントハウジング（１）と前記水槽部材（２）の接続を実現する位置決め面とを含む、ことを特徴とする請求項１に記載の加湿ファン。
【請求項３】
前記位置決め面には、前記フロントハウジング（１）の前記位置決め柱を収容する位置決め柱通過孔が設置され、前記フロントハウジング（１）の前記位置決め柱を前記位置決め面上の前記位置決め柱通過孔に通すことにより、前記水槽部材（２）と前記フロントハウジング（１）の接続を実現する、ことを特徴とする請求項２に記載の加湿ファン。
【請求項４】
前記フロントハウジング（１）の前記位置決め柱の周囲に支持リブが設置され、前記支持リブを前記水槽部材（２）の前記位置決め面に固定支持することにより、接続された前記水槽部材（２）と前記フロントハウジング（１）の固定接続を実現する、ことを特徴とする請求項３に記載の加湿ファン。
【請求項５】
前記支持リブの高さは、前記位置決め柱の高さより低い、ことを特徴とする請求項４に記載の加湿ファン。
【請求項６】
前記係止部材は、
前記フロントハウジング（１）の両側の縁部に設置されたバックルジョイントと、
前記水槽部材（２）の側壁外面に設置された位置決めバックルとを含み、前記水槽部材（２）の位置決めバックルと前記フロントハウジング（１）の前記バックルジョイントの係合により、前記水槽部材（２）と前記フロントハウジング（１）の係止接続を実現する、ことを特徴とする請求項１に記載の加湿ファン。
【請求項７】
前記固定部材は、前記リアハウジング（３）の側壁底部に設置された、前記フロントハウジング（１）の前記位置決め柱を収容する固定部品通過孔を含み、固定部品を前記固定部品通過孔と前記位置決め柱に固定することにより、前記リアハウジング（３）と前記水槽部材（２）及び前記フロントハウジング（１）との固定接続を実現する、ことを特徴とする請求項２に記載の加湿ファン。
【請求項８】
前記支持部材は、
前記フロントハウジング（１）の側壁内面に設置されたフロントハウジング支持リブ（１７）と、
前記水槽部材（２）の側壁（２２）の外面に突設された水槽支持板とを含み、前記フロントハウジング支持リブ（１７）による前記水槽支持板の支持により、前記フロントハウジング（１）による前記水槽部材（２）の支持を実現する、ことを特徴とする請求項１に記載の加湿ファン。
【請求項９】
前記支持部材は、さらに、
前記リアハウジング（３）の側壁内面に設置されたリアハウジング支持リブ（３４）と、
前記水槽部材（２）の側壁（２２）の外面に突設された水槽支持板とを含み、前記リアハウジング支持リブ（３４）による前記水槽支持板の支持により、前記リアハウジング（３）による前記水槽部材（２）の支持を実現する、ことを特徴とする請求項８に記載の加湿ファン。
【請求項１０】
前記水槽部材（２）の底部の下底面（２８）は前記フロントハウジング（１）の底部の上底面（１８）に接触する、ことを特徴とする請求項１に記載の加湿ファン。
【発明の詳細な説明】
【関連出願】
【０００１】
本願は、２０１８年９月１０日に出願された、出願番号が２０１８１１０５３２３４．７で、名称が「加湿ファン」である中国特許出願の優先権を主張するものであり、その全ての内容は参照により本願に組み込まれるものとする。
【技術分野】
【０００２】
本願は、ファンの分野に関し、特に加湿ファンに関する。
【背景技術】
【０００３】
ファン機能の多様性に対する人々のニーズの高まりに伴い、加湿ファンが占める市場の割合が増えてきているが、現段階では、多くのファンでは水槽が確実に固定されていないか、又は固定中にファンに損害を与えて、加湿ファンにおける水槽の組立効率が低すぎることになる。
ファンにおける水槽の組立及び組立効率が低いという問題は、ファン開発過程において早急に解決すべき問題となっている。
【発明の概要】
【発明が解決しようとする課題】
【０００４】
本願は、加湿ファンにおける水槽の組立効率が高く、構造が簡単で、安定する加湿ファンを提供することを目的とする。
【課題を解決するための手段】
【０００５】
上記目的を達成するために、本願の加湿ファンの具体的な技術的手段は以下のとおりである。
加湿ファンは、フロントハウジング、リアハウジング及び水槽部材を含み、前記水槽部材が前記フロントハウジングと前記リアハウジングの間に設置され、前記水槽部材が接続部材、係止部材により前記フロントハウジングに接続され、前記リアハウジングが固定部材により、前記水槽部材が接続された前記フロントハウジングに接続され、前記フロントハウジングと前記水槽部材の間、及び前記リアハウジングと前記水槽部材の間に支持部材が設置され、支持部材により、前記フロントハウジングと前記リアハウジングによる前記水槽部材の支持を実現する。
【０００６】
一実施例では、接続部材は、前記フロントハウジングの側壁底部に設置された位置決め柱と、前記水槽部材の側壁外面の両側に突設され、前記フロントハウジングの前記位置決め柱を収容して前記フロントハウジングと前記水槽部材の接続を実現する位置決め面とを含む。
【０００７】
一実施例では、前記位置決め面には、前記フロントハウジングの前記位置決め柱を収容する位置決め柱通過孔が設置され、前記フロントハウジングの前記位置決め柱を前記位置決め面上の前記位置決め柱通過孔に通すことにより、前記水槽部材と前記フロントハウジングの接続を実現する。
【０００８】
一実施例では、前記フロントハウジングの前記位置決め柱の周囲に支持リブが設置され、前記支持リブを前記水槽部材の前記位置決め面に固定支持することにより、接続された前記水槽部材と前記フロントハウジングの固定接続を実現する。
一実施例では、前記支持リブの高さは、前記位置決め柱の高さより低い。
一実施例では、前記係止部材は、前記フロントハウジングの両側の縁部に設置されたバックルジョイントと、前記水槽部材の側壁外面に設置された位置決めバックルとを含み、前記水槽部材の位置決めバックルと前記フロントハウジングの前記バックルジョイントの係合により、前記水槽部材と前記フロントハウジングの係止接続を実現する。
【０００９】
一実施例では、前記固定部材は、前記リアハウジングの側壁底部に設置された、前記フロントハウジングの前記位置決め柱を収容する固定部品通過孔を含み、固定部品を前記固定部品通過孔と前記位置決め柱に固定することにより、前記リアハウジングと前記水槽部材、前記フロントハウジングとの固定接続を実現する。
【００１０】
一実施例では、前記支持部材は、前記フロントハウジングの側壁内面に設置されたフロントハウジング支持リブと、前記水槽部材の側壁外面に突設された水槽支持板とを含み、前記フロントハウジング支持リブによる前記水槽支持板の支持により、前記フロントハウジングによる前記水槽部材の支持を実現する。
【００１１】
一実施例では、前記支持部材は、さらに、前記リアハウジングの側壁内面に設置されたリアハウジング支持リブと、前記水槽部材の側壁外面に突設された水槽支持板とを含み、前記リアハウジング支持リブによる前記水槽支持板の支持により、前記リアハウジングによる前記水槽部材の支持を実現する。
【００１２】
一実施例では、前記水槽部材の底部の下底面は前記フロントハウジングの底部の上底面に接触する。
【発明の効果】
【００１３】
本願の加湿ファンの利点は以下のとおりである。水槽部材とフロントハウジングの間の係止接続と、フロントハウジング及びリアハウジングは支持部材による水槽部材の支持と、固定部品によるフロントハウジングとリアハウジングの固着とを利用して、水槽部材にボルトなどの固定部品を個別に使用することなく、水槽部材をフロントハウジング及びリアハウジングに固着できることを実現し、加湿ファンにおける水槽部材の組立、生産効率を大幅に向上させる。
【図面の簡単な説明】
【００１４】
以下、図面を参照しながら本願の加湿ファンの実施例形態を説明する。
【図１】本願の加湿ファンの構造分解図である。
【図２】本願の加湿ファンのフロントハウジングの構造概略図である。
【図３】本願の加湿ファンの水槽部材の構造概略図である。
【図４】本願の加湿ファンのリアハウジングの構造概略図である。
【発明を実施するための形態】
【００１５】
本発明の目的、構造及び機能をよりよく理解するために、以下、図面を参照しながら本願の加湿ファンをさらに詳細に説明する。
図１〜図４に示すように、本願の加湿ファンは、フロントハウジング１と、リアハウジング３と、フロントハウジング１とリアハウジング３の間に設置された水槽部材２とを含み、水槽部材２が接続部材によりフロントハウジング１に接続され、リアハウジング３が係止部材、固定部材により、水槽部材２が接続されたフロントハウジング１に接続され、フロントハウジング１と水槽部材２の間、及びリアハウジング３と水槽部材２の間に支持部材が設置され、支持部材により、フロントハウジング１とリアハウジング３による水槽部材２の支持を実現する。
【００１６】
さらに、接続部材は、固定部品（例えば、ボルト）を収容でき、フロントハウジング１の側壁の底部に横方向に設置されるか又は複数設置される位置決め柱（例えば、ボルト孔柱）（図２に示す位置決め柱１１、１３）と、水槽部材２の側壁外面の両側に突設され、フロントハウジング１の位置決め柱を収容してフロントハウジング１と水槽部材２の接続を実現する位置決め面（図３に示す位置決め面２１、２３）とを含む。具体的には、位置決め面には、フロントハウジング１の位置決め柱を収容する位置決め柱通過孔が設置され、フロントハウジング１の位置決め柱を位置決め面上の位置決め柱通過孔に通すことにより、水槽部材２とフロントハウジング１の接続を実現する。位置決め柱／位置決め面は、水槽部材２の底部外部の下底面２８がフロントハウジング１の底部内部の上底面１８に接触する位置に設置される。位置決め柱通過孔を通過した位置決め柱は、リアハウジング３に接続される。
【００１７】
また、フロントハウジング１の位置決め柱の周囲に支持リブ（図２に示す支持リブ１２、１４）が設置され、支持リブの高さは位置決め柱の高さより低く、支持リブを水槽部材２の位置決め面に固定支持することにより、接続された水槽部材２とフロントハウジング１をさらに密に固定接続することを実現する。
【００１８】
さらに、係止部材は、バックルジョイントと位置決めバックルを含み、フロントハウジング１の両側の縁部に下端を逃がす複数のバックルジョイント１５、１６が設置され、位置決めバックル２５、２６は、水槽部材２の側壁外面の両側に設置され、位置決めバックルは、数量がバックルジョイントの数量と同じであり、バックルジョイントと係止し、弾性のあるフロントハウジング１及び水槽部材２の位置決めバックルとフロントハウジング１のバックルジョイントとの係合により、位置決めバックルをバックルジョイントに押入して、水槽部材２とフロントハウジング１の係止接続を実現する。
【００１９】
さらに、固定部材は、リアハウジング３の側壁底部に設置された、水平軸がフロントハウジング１の位置決め柱の水平軸と面一になる固定部品通過孔を含み、或いは、複数の固定部品通過孔（図４に示す固定部品通過孔３１、３３）が設置され、かつ固定部品通過孔の数量がフロントハウジング１の位置決め柱の数量と同じであり、固定部品（例えば、ボルト）を固定部品通過孔と位置決め柱に固定することにより、リアハウジング３、水槽部材２とフロントハウジング１との固定接続を実現する。
【００２０】
さらに、支持部材は、フロントハウジング支持リブ１７、リアハウジング支持リブ３４及び水槽支持板を含み、フロントハウジング支持リブ１７がフロントハウジング１の側壁内面に突設され、リアハウジング支持リブ３４がリアハウジング３の側壁内面に突設され、フロントハウジング支持リブ１７とリアハウジング支持リブ３４がいずれも円弧状であり、水槽支持板が、水槽部材２の側壁２２の外面に突設され、水槽支持板の形状はフロントハウジング支持リブ１７、リアハウジング支持リブ３４の形状に合わせ、フロントハウジング支持リブ１７とリアハウジング支持リブ３４による水槽支持板の支持により、フロントハウジング１とリアハウジング３による水槽部材２の支持を実現し、水槽部材２をフロントハウジング１、リアハウジング２に完全に位置決めする必要がなく、位置決め組立中にファンの各部品に損害を与えることを回避する。
【００２１】
以下、図面を参照しながら本願の加湿ファンの動作過程を説明する。
接続過程において、水槽部材２の下底面２８をフロントハウジング１の上底面１８に接触させ、フロントハウジング１の位置決め柱１１、１３をそれぞれ水槽部材の位置決め面上の位置決め柱通過孔に通した後、支持リブ１２、１４をそれぞれ位置決め面２１、２３に支持する。
係止過程において、水槽部材２の位置決めバックル２５、２６をそれぞれフロントハウジング１のバックルジョイント１５、１６に押入する。
固定過程において、リアハウジング３の固定部品通過孔３１、３３をフロントハウジング１の位置決め柱１１、１３の軸に位置合わせした後、加湿ファンの外部から固定部品を固定部品通過孔と位置決め柱に入れる。同時に、支持過程において、フロントハウジング、リアハウジング上のフロントハウジング支持リブ１７とリアハウジング支持リブ３４により水槽部材の側面上の水槽支持板を支持し、水槽部材をフロントハウジング及びリアハウジングに完全に位置決めする必要がない。
【００２２】
本願の加湿ファンは、水槽部材とフロントハウジングの間の係止接続と、支持部材が設置されたフロントハウジング及びリアハウジングによる水槽部材の支持と、固定部品によるフロントハウジングとリアハウジングの固着とを利用して、水槽部材にボルトなどの固定部品を個別に使用することなく、水槽部材をフロントハウジング及びリアハウジングに固着できることを実現し、加湿ファンにおける水槽部材の組立、生産効率を大幅に向上させる。
【００２３】
以上、具体的な実施例を参照しながら本願をさらに説明したが、理解すべきこととして、ここでの具体的な説明は、本願の実質と範囲を限定するものと見なすべきではなく、当業者が本明細書を読んだ後に上記実施例に行った様々な修正は、いずれも本願の保護範囲に属する。
【図１】
2021521407.tif 000003
【図２】
2021521407.tif 000004
【図３】
2021521407.tif 000005
【図４】
2021521407.tif 000006
【国際調査報告】
2021521407.tif 000007
2021521407.tif 000008
2021521407.tif 000009
2021521407.tif 000010